(57)【要約】      （修正有）【課題】パネルの傾きだけでなく、パネルの高さも同時に調整することができ、また、確実かつ高精度に調整することができる表示／操作パネルの高さおよび傾斜調整装置を提供する。【解決手段】機器本体に取り付けられる取付部材Ｎに枢着軸Ｓを介して回動自在に取り付けられる調整装置Ｒが、パネル取付ブラケット１と、取付部材Ｎに枢着軸Ｓを介して回動自在に取り付けられる回動フレーム２と、回動フレーム２を回動せしめる第１駆動手段と、パネル取付ブラケット１を回動せしめる第２駆動手段から構成され、さらに、第１駆動手段が、第１駆動モーター５と、第１減速歯車列と、枢着軸Ｓと同一軸上に配列されると共に取付部材Ｎに一体に固定される枢着軸側作動軸から構成されると共に、第２駆動手段が、第２駆動モーター７と、第２減速歯車列と、パネル取付ブラケット１を取付固定するパネル側作動軸から構成される傾斜調整装置。【選択図】図２
2010197537.tif 000002
【特許請求の範囲】
【請求項１】
複写機、プリンターなどの機器本体に取り付けられる取付部材と、該取付部材に枢着軸を介して回動自在に取り付けられる調整装置と、該調整装置のパネル取付ブラケットに取り付け固定される表示／操作パネルから成る表示／操作パネルの高さおよび傾斜調整装置において、上記調整装置が、上記パネル取付ブラケットと、上記取付部材に枢着軸を介して回動自在に取り付けられる回動フレームと、該回動フレームを回動せしめる第１駆動手段と、上記パネル取付ブラケットを回動せしめる第２駆動手段から構成され、さらに、上記第１駆動手段が、第１駆動モーターと、第１減速歯車列と、上記枢着軸と同一軸上に配列されると共に上記取付部材に一体に固定される枢着軸側作動軸から構成されると共に、上記第２駆動手段が、第２駆動モーターと、第２減速歯車列と、パネル取付ブラケットを取付固定するパネル側作動軸から構成されることを特徴とする表示／操作パネルの高さおよび傾斜調整装置。
【請求項２】
上記第１減速歯車列が、上記第１駆動モーターの出力軸に設けたねじ歯車と噛み合うはす歯歯車と、該はす歯歯車と一体となった小歯車と噛み合う大歯車を有する第一歯車と、該第一歯車の小歯車と噛み合う大歯車を有する第二歯車と、該第二歯車の小歯車と噛み合う大歯車を有する第三歯車と、該第三歯車の小歯車と噛み合う大歯車を有する第四歯車と、該第四歯車の傘歯車と噛み合う傘歯車から構成されることを特徴とする請求項１に記載の表示／操作パネルの高さおよび傾斜調整装置。
【請求項３】
上記第２減速歯車列が、上記第２駆動モーターの出力軸に設けたねじ歯車と噛み合うはす歯歯車と、該はす歯歯車と一体となった小歯車と噛み合う大歯車を有する第一歯車と、該第一歯車の小歯車と噛み合う大歯車を有する第二歯車と、該第二歯車の小歯車と噛み合う大歯車を有する第三歯車と、該第三歯車の小歯車と噛み合う大歯車を有する第四歯車と、該第四歯車の傘歯車と噛み合う傘歯車から構成されることを特徴とする請求項１または２に記載の表示／操作パネルの高さおよび傾斜調整装置。
【請求項４】
上記第１減速歯車列および／または第２減速歯車列の各歯車の内のいずれかの歯車が、その支持軸に対して自由に回転でき且つ皿バネ等の弾発部材により弾性的に挟持された状態で取り付けられ、該歯車にかかる負荷トルクが一定量を超えるとスリップして空回りするように構成されることを特徴とする請求項１、２または３に記載の表示／操作パネルの高さおよび傾斜調整装置。
【発明の詳細な説明】
【技術分野】
【０００１】
本発明は、複写機、プリンターなどのＯＡ機器や、冷蔵庫や洗濯機などの家電製品に設けられるモニターパネルや操作パネルなどのパネルの高さや傾きを制御する表示／操作パネルの高さおよび傾斜調整装置に関する。
【背景技術】
【０００２】
一般に、上記パネルは、操作者が見易く操作し易い高さや傾きに調整する必要がある。従来、ＯＡ機器のパネルの傾きを任意に調整するようにした技術が知られている。
しかしながら、上記従来のＯＡ機器には、パネルの傾きだけでなく、パネルの高さも同時に調整することができる技術はなかった。
【先行技術文献】
【特許文献】
【０００３】
【特許文献１】特開２００３−３３７５０６
【特許文献２】特開２００７−４１５０７
【発明の概要】
【発明が解決しようとする課題】
【０００４】
本発明は、パネルの傾きだけでなく、パネルの高さも同時に調整することができ、また、確実かつ高精度に調整することができる表示／操作パネルの高さおよび傾斜調整装置を提供することを課題とする。
【課題を解決するための手段】
【０００５】
本発明の表示／操作パネルの高さおよび傾斜調整装置は、複写機、プリンターなどの機器本体に取り付けられる取付部材と、該取付部材に枢着軸を介して回動自在に取り付けられる調整装置と、該調整装置のパネル取付ブラケットに取り付け固定される表示／操作パネルから成る表示／操作パネルの高さおよび傾斜調整装置において、上記調整装置が、上記パネル取付ブラケットと、上記取付部材に枢着軸を介して回動自在に取り付けられる回動フレームと、該回動フレームを回動せしめる第１駆動手段と、上記パネル取付ブラケットを回動せしめる第２駆動手段から構成され、さらに、上記第１駆動手段が、第１駆動モーターと、第１減速歯車列と、上記枢着軸と同一軸上に配列されると共に上記取付部材に一体に固定される枢着軸側作動軸から構成されると共に、上記第２駆動手段が、第２駆動モーターと、第２減速歯車列と、パネル取付ブラケットを取付固定するパネル側作動軸から構成されることを特徴とする。また、上記第１減速歯車列が、上記第１駆動モーターの出力軸に設けたねじ歯車と噛み合うはす歯歯車と、該はす歯歯車と一体となった小歯車と噛み合う大歯車を有する第一歯車と、該第一歯車の小歯車と噛み合う大歯車を有する第二歯車と、該第二歯車の小歯車と噛み合う大歯車を有する第三歯車と、該第三歯車の小歯車と噛み合う大歯車を有する第四歯車と、該第四歯車の傘歯車と噛み合う傘歯車から構成されることを特徴とする。さらに、上記第２減速歯車列が、上記第２駆動モーターの出力軸に設けたねじ歯車と噛み合うはす歯歯車と、該はす歯歯車と一体となった小歯車と噛み合う大歯車を有する第一歯車と、該第一歯車の小歯車と噛み合う大歯車を有する第二歯車と、該第二歯車の小歯車と噛み合う大歯車を有する第三歯車と、該第三歯車の小歯車と噛み合う大歯車を有する第四歯車と、該第四歯車の傘歯車と噛み合う傘歯車から構成されることを特徴とする。又更に、上記第１減速歯車列および／または第２減速歯車列の各歯車の内のいずれかの歯車が、その支持軸に対して自由に回転でき且つ皿バネ等の弾発部材により弾性的に挟持された状態で取り付けられ、該歯車にかかる負荷トルクが一定量を超えるとスリップして空回りするように構成されることを特徴とする。
【発明の効果】
【０００６】
本発明の表示／操作パネルの高さおよび傾斜調整装置は、パネルの傾きだけでなく、パネルの高さも同時に調整することができ、また、確実かつ高精度に調整することができる。さらに、表示／操作パネルの高さおよび傾斜を、それぞれ独立して作動せしめることができるので、表示／操作パネルを任意の高さにおける任意の傾斜角度に調整することができる。
【図面の簡単な説明】
【０００７】
【図１】本発明の表示／操作パネルの高さおよび傾斜調整装置をＯＡ機器の本体に設けた一実施例の説明図である。
【図２】図１の要部の詳細斜視図である。
【図３】図２の調整装置の駆動機構の説明斜視図である。
【図４】パネルの高さ調整の作動説明図である。
【図５】低い位置のパネルの傾斜調整の作動説明図である。
【図６】高い位置のパネルの傾斜調整の作動説明図である。
【発明を実施するための形態】
【０００８】
以下、本発明の表示／操作パネルの高さおよび傾斜調整装置の実施例について、図面を参照しながら説明する。
【実施例】
【０００９】
図１において、Ｍは、複写機、プリンターなどの機器本体、Ｐはパネルである。該機器本体Ｍの適宜箇所には、取付部材Ｎが取付固定されていると共に、該取付部材Ｎには、枢着軸Ｓを介して調整装置Ｒが回動自在に取り付けられている。上記パネルＰは、前記調整装置Ｒのパネル取付ブラケット１に取付固定されている。
【００１０】
図２は上記取付部材Ｎ、枢着軸Ｓおよび調整装置Ｒを示すもので、さらに詳細には、上記調整装置Ｒは、主として、上記パネル取付ブラケット１と、回動フレーム２と、第１駆動手段３と、第２駆動手段４から構成されている。
【００１１】
上記回動フレーム２は、その基端部が上記枢着軸Ｓに取付固定されていると共に、その先端部には、上記パネル取付ブラケット１が回転自在に取り付けられている。
【００１２】
上記第１駆動手段３は、上記調整装置Ｒを上記枢着軸Ｓの周りに上下に回動せしめることを目的とするもので、図３から明らかなように、主として、第１駆動モーター５と、第１減速歯車列６と、上記枢着軸Ｓと同一軸上に配列されると共に上記取付部材Ｎに一体に固定される枢着軸側作動軸Ｓ′から構成されている。さらに、該第１減速歯車列６は、上記第１駆動モーター５の出力軸に設けたねじ歯車５ａと噛み合うはす歯歯車６ａと、該はす歯歯車６ａと一体となった小歯車と噛み合う大歯車を有する第一歯車６ｂと、該第一歯車６ｂの小歯車と噛み合う大歯車を有する第二歯車６ｃと、該第二歯車６ｃの小歯車と噛み合う大歯車を有する第三歯車６ｄと、該第三歯車６ｄの小歯車と噛み合う大歯車を有する第四歯車６ｅと、該第四歯車６ｅの傘歯車と噛み合う傘歯車６ｆから構成される。該傘歯車６ｆには、上記枢着軸Ｓと同一軸上に配列されると共に上記取付部材Ｎに一体に固定される枢着軸側作動軸Ｓ′が一体的に設けられている。
【００１３】
上記第２駆動手段４は、上記パネルＰを取付固定する上記パネル取付ブラケット１を傾動自在に回動せしめることを目的とするもので、図３から明らかなように、主として、第２駆動モーター７と、第２減速歯車列８から構成されている。さらに、該第２減速歯車列８は、上記第２駆動モーター７の出力軸に設けたねじ歯車７ａと噛み合うはす歯歯車８ａと、該はす歯歯車８ａと一体となった小歯車と噛み合う大歯車を有する第一歯車８ｂと、該第一歯車８ｂの小歯車と噛み合う大歯車を有する第二歯車８ｃと、該第二歯車８ｃの小歯車と噛み合う大歯車を有する第三歯車８ｄと、該第三歯車８ｄの小歯車と噛み合う大歯車を有する第四歯車８ｅと、該第四歯車８ｅと一体となった傘歯車と噛み合う傘歯車８ｆから構成される。該傘歯車８ｆには、上記パネル取付ブラケット１を取付固定するパネル側作動軸９が一体的に設けられている。
【００１４】
なお、上記第１および２減速歯車列６，８の各歯車の内のいずれかの歯車は、その支持軸に対して自由に回転でき且つ皿バネ等弾発部材により弾性的に挟持された状態で取り付けられ、該歯車にかかる負荷トルクが一定量を超えるとスリップして空回りし、過負荷に対する安全機能が働くようになっている。安全機能はこれに限定するのもではない。
【００１５】
上記実施例の表示／操作パネルの高さおよび傾斜調整装置は、以上のように構成されているので、図４に示すように、上記パネルＰを機器本体Ｍに対して高さ調整する場合には、上記第１駆動手段３の第１駆動モーター５を稼働させ、その回転数を上記第１減速歯車列６を介して大幅に減速すると共に回転トルクを増幅させて、上記枢着軸側作動軸Ｓ′を回転させる。該枢着軸側作動軸Ｓ′は上記取付部材Ｎに一体に固定されており、また、該取付部材Ｎには上記回動フレーム２が回動自在に取り付けられているので、枢着軸側作動軸Ｓ′が回転すると、その反作用で回動フレーム２が枢着軸Ｓを中心に上下に揺動する。その結果、回動フレーム２の先端部のパネル取付ブラケット１に取り付けられているパネルＰの高さが上下に移動する。
【００１６】
また、図５に示すように、回動フレーム２の先端部のパネルＰが下がった状態で、その傾きを調整する場合には、上記第２駆動手段４の第２駆動モーター７を稼働させ、その回転数を上記第２減速歯車列８を介して大幅に減速すると共に回転トルクを増幅させて、上記パネル取付ブラケット１を回転させ、これに取り付けたパネルＰの傾きを変える。
【００１７】
さらに、図６に示すように、上記第１駆動手段３により上方に移動させられたパネルＰの傾斜を調整する場合には、上述のように、第２駆動手段４により行えばよい。
【００１８】
上述のように、パネルＰの高さ調整は、上記第１駆動手段３により、また、パネルＰの傾斜調整は、第２駆動手段４により、それぞれ独立して行うようになっているので、パネルＰの位置が最下部にある図５の状態から、最後部にある図６の状態の間で、その位置と傾斜を自由に選択して、パネルＰを最適の高さと傾斜状態で操作することができる。
【符号の説明】
【００１９】
１    パネル取付ブラケット
２    回動フレーム
３    第１駆動手段
４    第２駆動手段
５    第１駆動モーター
５ａ  ねじ歯車
６    第１減速歯車列
６ａ  はす歯歯車
６ｂ  第一歯車
６ｃ  第二歯車
６ｄ  第三歯車
６ｅ  第四歯車
６ｆ  傘歯車
７    第２駆動モーター
７ａ  ねじ歯車
８    第２減速歯車列
８ａ  はす歯歯車
８ｂ  第一歯車
８ｃ  第二歯車
８ｄ  第三歯車
８ｅ  第四歯車
８ｆ  傘歯車
９    パネル側作動軸
Ｍ    機器本体
Ｎ    取付部材
Ｐ    パネル
Ｒ    調整装置
Ｓ    枢着軸
Ｓ′  枢着軸側作動軸
【図１】
2010197537.tif 000003
【図２】
2010197537.tif 000004
【図３】
2010197537.tif 000005
【図４】
2010197537.tif 000006
【図５】
2010197537.tif 000007
【図６】
2010197537.tif 000008